(57)【要約】  本発明によればカップは折り目付け可能な偏平材料から成っていて、該偏平材料には、少なくとも１つの目標折り線（２２）が設けられており、該目標折り線（２２）に沿って、凸状のカップ壁（２４）が凹状に形状安定的に押し込み可能である。
2014526423.tif 000002
【特許請求の範囲】
【請求項１】
少なくとも１つの目標折り線（２２）が設けられており、該目標折り線（２２）に沿って、凸状のカップ壁（２４）が凹状に形状安定的に押し込み可能であることを特徴とする、折り目付け可能な偏平材料から成るカップ。
【請求項２】
カップ壁（２４）における前記目標折り線（２２）は、壁厚さを薄くした部分の線及び／又はエンボス加工されたかつ／又は予め折られた線である、請求項１記載のカップ。
【請求項３】
カップ壁（２４）における前記目標折り線（２２）は、閉じた環状に延在している、請求項１又は２記載のカップ。
【請求項４】
カップ壁（２４）における前記目標折り線（２２）は、前記カップが適切に水平面（４）上に立てられている場合に、垂直に延在している平面に対して鏡像対称的に延在している、請求項１から３までのいずれか１項記載のカップ。
【請求項５】
複数の前記目標折り線（２２）が同じである、請求項１から４までのいずれか１項記載のカップ。
【請求項６】
複数の前記目標折り線（２２）は、前記カップ（２）の周囲にわたって均一に分配されている、請求項１から５までのいずれか１項記載のカップ。
【請求項７】
複数の前記目標折り線（２２）は、前記カップ（２）の同じ高さに配置されている、請求項１から６までのいずれか１項記載のカップ。
【発明の詳細な説明】
【技術分野】
【０００１】
本発明は飲料カップに関する。
【０００２】
温飲料用及び冷飲料用の飲料カップ、複数回使用及び使い捨て用の飲料カップが存在しており、これに相応して飲料カップは、セラミック、ガラス、金属、プラスチック、水密性又は発水性コーティング又は防水加工が施された厚紙のような材料及びこれらを組み合わせた材料から相応に形成されている。飲料カップとは本発明において広義では、サイズ及び重量によっては片手で相応に把持し持ち上げることができ、人がこぼすことなく飲むことを可能にする縁部の形状を備えた開口部（飲み口）と、液体を該カップ内に留めるように該カップを水平な平面上に置いておくことを可能にする設置面又は設置装置とを有した容器を意味する。しかしながら特に、飲料カップとは本発明において狭義では、（適切に水平な平面上に置かれた状態で）少なくとも開口部の領域で垂直軸線に関して回転対称的であって、少なくとも開口部の領域で少なくともその内壁で縁部から軸方向下方に向かって減径している容器を意味する。
【０００３】
このような、特に使い捨て用のカップのためには、内部の飲料液がこぼれるのを阻止し、飲み口を覆うことができる蓋もあることが公知である。このような蓋及びカップ、及び本発明によるカップは特に、飲料を外出先で飲むために（も）提供する外食店において提供するために設けられている。公知の蓋は好適にはプラスチック、例えばリサイクル可能なポリプロピレンのようなプラスチックから製造されていて、通常は、カップの飲み口の縁部領域に形状接続的に（嵌め合いなどの形状的関係に基づく結合又は束縛により）スナップ係合するためのスナップ構造を有している。特にプラスチック又は厚紙から成る使い捨て用の特にカップは、通常、飲み口を取り囲む縁部を有しており、この縁部は、外方に向かって円形に折り曲げられた横断面を有している。このような飲み口縁部は、公知の冒頭で述べた蓋の公知のスナップ構造によって、形状接続的にスナップ係合される。このために蓋は公知のように、蓋縁部近傍のスナップ構造の直径及びスナップ開口幅が、この蓋のために設けられたカップのジオメトリに合わせられており、特に規格化されている。
【０００４】
公知のカップ、即ち特に、使い捨て用の、例えばプラスチック又は、水密性又は発水性のコーティング又は防水加工が施された厚紙から成る公知のカップでは、カップ壁は少なくとも所定の領域で折り目付け可能な偏平材料から成っている。折り目付け可能な、とは本発明では単に、偏平材料が（負荷の開始時にすぐに、又は所定の限界変形度を超えて初めて）、単に弾性的に変形するだけではなく塑性的にも変形することを意味するものであって、この場合、１つの偏平材料におけるこのような限界変形度は、各カップにおいて加えられる、手の力によって得られる大きさである。
【０００５】
折り目付け可能な偏平材料から成る公知のカップの壁は通常、材料節約のために（即ち、使い捨て材料をできるだけ僅かにするために）、偏平材料をできるだけ薄く構成するように最適化されている。コストのためにこのような材料節約が行われるが、欠点としては、カップを僅かに強力に把持しただけでも押し込まれ易いということがある。このような変形は、例えばカップ下面の設置面が一緒に変形されて、カップをぐらつかせる危険をもたらす。付加的な危険は、押込みの際に生じる可能性がある折り線又は折り個所に沿って、壁が塑性変形するだけでなく、例えば脆性破壊により不密になることもあることにある。
【０００６】
本発明の課題は、損傷されることなく取り扱い可能な、折り目付け可能な偏平材料から成る飲料カップを提供することである。
【０００７】
この課題は請求項１に記載の特徴を備えた飲料カップにより解決される。好ましい構成は従属請求項に記載されている。
【０００８】
本発明によれば、折り目付け可能な偏平材料から成るカップは、少なくとも１つの目標折り線を有しており、該目標折り線に沿って、カップの凸状の壁が凹状に形状安定的に押し込み可能である。
【０００９】
本発明の意味では「凸状の壁」とは、カップの外側に向かって凸状に曲げられた壁を意味し、即ち少なくとも所定の領域で、かつ少なくともかつ好適には一回（少なくとも１つの曲げ軸線を中心として）曲げられることを意味する。偏平材料とは例えば、好適には水密性又は防水性の、特にカップ内側のコーティングを施された厚紙、又はプラスチック、例えばポリプロピレンである。
【００１０】
好適には、カップ壁における目標折り線は、壁厚さを薄くした部分の線及び／又はエンボス加工されたかつ／又は予め折られた線である。使用者が例えば親指及び／又は人差し指で目標折り線の近傍で（凸状の）カップ壁に負荷をかけると、この凸状のカップ壁は先行技術と同様に押し込まれ、変形するが、先行技術で方向付けられていなかったのとは異なり、目標折り線に沿って凹状に形状安定的に押し込まれる。形状安定的に、とは本発明では単に、偏平材料が負荷の開始時にすぐに、又は所定の限界変形度を超えて初めて目標折り線に沿って、単に弾性的に変形するのではなく塑性的にも変形することを意味するものであって、この場合、このような限界変形度は、本発明によるカップにおいて、手の力によって得られる大きさである。本発明による押し込まれた領域はカップ壁において構造的な補強部として用いられる。
【００１１】
好適には、カップ壁における目標折り線は、閉じた環状に延在していて、即ち特に好適には、カップが適切に水平面上に立てられている場合に、垂直に向けられている平面に対して鏡像対称的に延在している。従って、環状の目標折り線により仕切られて、本発明による目標折り線によって環状に取り囲まれた押込み可能領域が生じ、この領域は凹状に押し込まれてくぼみを形成し、このくぼみは、カップ周壁における構造的な補強部としても利用され、特に好適には把持くぼみとして利用することができる。カップの美しい外観デザインを得るために本発明による目標折り線は好適には付加的に利用することができ、公知のように拡大する単純な、特に使い捨てカップのカップフォルムを、即ち主として円錐台形状の、即ちその周面において専ら凸状の形状を、徐々にカーブしてかつ／又は屈曲して延在する本発明による目標折り線によって付加的なデザイン要素が得られ、このようなデザイン要素は、周面において押し込んだ後、凹状のデザイン要素を提供し、くびれたカップフォルムも生じる。
【００１２】
特に即ち、本発明によるカップに好適には複数の目標折り線が同様に、即ち特に好適には均一にカップの周囲にわたって分配され、かつ／又はカップの同じ高さに配置されるならば、凹状の補強押込み部の規則的な周面パターンが生じ得る。特に目標折り線が１つ又は複数互いに対になって（周囲において１８０°ずらされて）周囲において互いに向かい合って位置しているならば、特に著しくくびれた優美さを備えたカップフォルムを形成することができる。
【００１３】
本発明のこのような利点及びさらなる利点は、以下に本発明の実施例を示した図面につきさらに説明する。
【図面の簡単な説明】
【００１４】
【図１】図１ａは凹状に形状安定的に押し込まれたカップ壁を備えた本発明によるカップの正面図であり、図１ｂは該カップの側面図である。
【図２】図２ａは凹状に形状安定的に押し込まれたカップ壁を備えた選択的な本発明によるカップの正面図であり、図２ｂは該カップの側面図である。
【図３】図３ａは凹状に形状安定的に押し込まれたカップ壁を備えた選択的な本発明によるカップの正面図であり、図３ｂは該カップの側面図である。
【図４】図４ａは凹状に形状安定的に押込み可能で、押し込まれたカップ壁を備えた選択的な本発明によるカップの正面図であり、図４ｂは該カップの側面図である。
【図５】図５ａは凹状に形状安定的に押し込まれたカップ壁を備えた選択的な本発明によるカップの立体的な正面図であり、図５ｂは該カップの立体的な側面図である。
【図６】図６ａは凹状に形状安定的に押し込まれたカップ壁を備えた選択的な本発明によるカップの２つの異なる側面図であり、図６ｂは２つの異なる立体的な側面図である。
【００１５】
内面がプラスチックコーティングされた厚紙から成る使い捨て用の温飲料又は冷飲料用の飲料カップ２は、（適切に水平面４上に立てられた状態で）上方の飲み口開口６と、飲料液１０をカップ内に留めるようにカップ２を水平面４上に立てて置くことを可能にする下方の円形の設置縁８とを有している。カップ２は全体として、所定の垂直軸線１２を中心として回転対称的であって、飲み口開口６の領域だけではなく、全体として周壁１４が飲み口開口６の縁部から軸方向（垂直軸線１２の方向）下方に向かって円錐状になっている。飲み口開口６は飲み縁部１６によって取り囲まれていて、この飲み縁部１６は外側に向かって円形に折り曲げられた横断面を有している。
【００１６】
ここまでは全ての図面におけるカップ２は同様に構成されているので、異なる図面の各カップの相違に応じてそれぞれ異なる目標折り線２２であるにも関わらず、同様の特徴部であるために同じ符号が付与されている。
【００１７】
全ての図面において各カップ２は少なくとも２つの目標折り線２２を有していて、この目標折り線２２に沿って、各カップ２のそれぞれ１つの又は２つの凸状の壁２４を凹状に形状安定的に押し込むことができる。図５ｂ以外では、各カップ２の壁２４は全て凹状に形状安定的に押し込まれている。
【００１８】
図示された目標折り線２２はそれぞれ、各カップ２の周壁１４において、壁厚さを薄くした部分の線２２であり、即ちこの場合、エンボス加工線２２である。使用者（図示せず）が例えば親指及び／又は人差し指で目標折り線２２の近傍領域で（押し込む前はまず外方に向かってまだ凸状の）カップ壁２４を押して負荷を加えると、カップ壁２４は目標折り線２２に沿って凹状に形状安定的に変形し、即ち各カップ２内に向かって湾曲して押し込まれる。
【００１９】
図１及び図２では、閉じた環状のそれぞれ２つの目標折り線２２がカップ壁２４に延びていて、図３及び図４では、図平面に対して鏡像対称的かつ、対象軸線１２を通り図平面上に垂直に延びる平面に対して鏡像対称的に、それぞれ２つの目標折り線２２がカップ壁２４に延びている。各カップ２が適切に、図示したように水平面４上に立っている場合、両目標折り線２２は垂直に向けられている。従って、環状の（図１及び図２）又はＵ字形の（図３及び図４）目標折り線２２により仕切られて、本発明による目標折り線２２によって取り囲まれ凹状に押し込まれた押込み領域が生じ、この領域はくぼみ２６を形成し、このくぼみ２６は、周壁１４における構造的な補強部として利用され、特に好適にはさらに把持くぼみとして利用することができる。図３及び図４に示されたＵ字形の目標折り線２２の場合、各目標折り線２２はそれぞれ、上方で飲み口開口６の縁部から直接下方に向かって延び、再び飲み口開口６の縁部に向かって戻るように延びているか（図４）、又は、飲み口開口６の縁部の下側から下方に向かって延び、再び飲み口開口６の縁部に向かって戻るように延びている（図３）。
【００２０】
カップの美しい外観デザインを得るために、それぞれ図示したように弓形に延びる目標折り線２２は付加的なデザイン要素であり、これにより周壁１４において押込み後、各くぼみ２６がくびれを形成しているくびれたカップフォルムを生ぜしめる。
【００２１】
図１〜図５に示したようにカップ２に複数の目標折り線２２がカップ全周にわたって均一に分配されていることにより、かつ／又はカップの同じ高さに配置されていることにより、凹状の補強押込み部２６の規則的な周方向パターンが生じる。図１〜図５に示したように押込み部２６が（周囲において１８０°ずらされて対になって分配されて）周囲において互いに向かい合って位置しているならば、くびれたカップフォルムは特に良好に認識可能である。しかしながら図６のカップ２においてもくびれ２６は生じる。この場合、目標折り線２２は、カップ２の上方の飲み口開口６の縁部から複数のカーブをなして下方に向かって設置縁８まで延在しており、カーブした線はエンブレム２８を弓形に取り囲んで強調している。カーブした線は、通常は少なくとも部分的にプリントされていて良いロゴ又はエンブレム（例えば、非常に有名な黒いノンアルコールのソフトドリンクの図示しないロゴ）の要素とさえもなり得る。
【００２２】
その他の図示されたカップに対する図５に示したカップ２の特殊性は、全体として８つの目標折り線２２を有している点であり、これらの目標折り線２２は、カップ２の上方の飲み口開口６の縁部のかなり下方から始まり、波状に下方に向かって（丸みをおびた角隅を有する正方形の底面３０を取り囲む）設置縁８まで延びている。即ち、目標折り線２２は対になって１８０°位置をずらされてカップ周囲に分配されていて、即ち、互いに対をなして周囲で互いに向かい合って位置するように、かつ、それぞれ対を成して、（丸みをおびた角隅を有する）正方形の底面３０の互いに対角線上に向かい合う角隅を通る、水平面４上で垂直に延びる２つの鏡像平面を中心として互いに対称的に延びている。これらの「角隅縁部」３２（図５ａ）は押込み可能であって、（図５ｂに示されたように）押し込まれる。
【図１ａ】
2014526423.tif 000003
【図１ｂ】
2014526423.tif 000004
【図２ａ】
2014526423.tif 000005
【図２ｂ】
2014526423.tif 000006
【図３ａ】
2014526423.tif 000007
【図３ｂ】
2014526423.tif 000008
【図４ａ】
2014526423.tif 000009
【図４ｂ】
2014526423.tif 000010
【図５ａ】
2014526423.tif 000011
【図５ｂ】
2014526423.tif 000012
【図６ａ−６ｂ】
2014526423.tif 000013
【国際調査報告】
2014526423.tif 000014
2014526423.tif 000015
2014526423.tif 000016
2014526423.tif 000017